(57)【要約】  【課題】  高性能、薄型化が進むサーバシステムへの構造的な変更を伴わず、ラックキャビネットへ搭載したラックキャビネットシステムとして、冷却効果を高める。  【解決手段】ラックマウントサーバシステムを搭載した冷却機構付きラックキャビネットであって、  ラック本体１０内部の空間を前面と背面に分離する分離ウォール２と、ラック本体１０に搭載されて前記分離ウォール２により分離された一方側から吸気し、前記分離ウォール２により分離された他方側に冷却して排気する冷却装置１と、ラック本体１０内部に騒音収集材３とを設けている。【選択図】        図１
2008171078.tif 000002
【特許請求の範囲】
【請求項１】
サーバシステムを搭載したラックキャビネットであって、
前記ラックキャビネット内周面と前記サーバシステム外周面との間に形成される、
前記ラックキャビネット内部の空間を前面と背面とに分離する分離壁と、
前記ラックキャビネットに搭載されて前記分離壁により分離された空間の一方側から吸気し、前記分離壁により分離された空間の他方側に冷却して排気する冷却装置とを備える
ことを特徴とするラックキャビネット。
【請求項２】
前記分離壁は、前記ラックキャビネット内部の、両側面、天面、底面にそれぞれ設けられていることを特徴とする請求項１記載のラックキャビネット。
【請求項３】
前記冷却装置は、前記ラックキャビネット最上段に設けられ、
前記ラックキャビネット内背面から吸気し、前記ラックキャビネット内前面に冷却して排気することを特徴とする請求項１又は２記載のラックキャビネット。
【請求項４】
前記ラックキャビネット内部に防音層を設けたことを特徴とする請求項１乃至３の何れかに記載のラックキャビネット。
【請求項５】
前記防音層は、前記ラックキャビネット内部の、両側面、天面、底面、背面および前面に吸音機能を有する部材が貼り付けられて形成されることを特徴とする請求項４に記載のラックキャビネット。
【請求項６】
サーバシステムを搭載したラックキャビネットの冷却方法であって、
前記ラックキャビネット内部に分離壁を設け、前記ラックキャビネット内周面と前記サーバシステム外周面との間に形成される、前記ラックキャビネット内部の空間を前面と背面に分離し、
前記ラックキャビネット最上段に冷却装置を設け、前記分離壁により分離された空間の一方側から吸気し、前記分離壁により分離された空間の他方側に冷却して排気し、
ラックキャビネット内部を冷却することを特徴とするラックキャビネットの冷却方法。
【発明の詳細な説明】
【技術分野】
【０００１】
本発明は、サーバシステムの冷却技術に係り、特にラックキャビネットの空気冷却効率の向上に有効な技術に関する。
【背景技術】
【０００２】
サーバシステムで使用されるプロセッサは、高性能化に伴ってデュアルコアやクワッドコア、更に大容量のキャッシュを備える傾向にあり、発熱量が増大する一方である。より一層の冷却能力を高める必要がある。
そこで、ラック内に収納したサーバを効率良く、均一に冷却できるラックマウントサーバシステムの冷却装置及び冷却方法が提案されている（例えば特許文献１参照）。
このサ−バラックの冷却装置及び冷却方法は、サーバが装着されていないマウントアングルの前面に仕切り板を装着して冷気通路を形成することを特徴としている。このことにより、サーバから排出される暖気の冷気通路への逆流を防いでいる。
【０００３】
【特許文献１】特開２００６−１４０３４３号公報
【発明の開示】
【発明が解決しようとする課題】
【０００４】
しかしながら、上記発明では、未収納部分のラックにのみ仕切り板を設けるので、冷却効果が十分ではないという問題点があった。
【０００５】
本発明は斯かる課題に鑑みてなされたもので、上記問題点を解決できるラックキャビネット及び冷却方法を提供することを目的とする。
【課題を解決するための手段】
【０００６】
本発明における請求項１記載のラックキャビネットは、サーバシステムを搭載したラックキャビネットであって、 前記ラックキャビネット内周面と前記サーバシステム外周面との間に形成される、前記ラックキャビネット内部の空間を前面と背面とに分離する分離壁と、前記ラックキャビネットに搭載されて前記分離壁により分離された空間の一方側から吸気し、前記分離壁により分離された空間の他方側に冷却して排気する冷却装置とを備えることを特徴とする。
また、本発明における請求項２記載のラックキャビネットは、前記分離壁が、前記ラックキャビネット内部の、両側面、天面、底面にそれぞれ設けられていることを特徴とする。
また、本発明における請求項３記載のラックキャビネットは、前記冷却装置が、前記ラックキャビネット最上段に設けられ、前記ラックキャビネット内背面から吸気し、前記ラックキャビネット内前面に冷却して排気することを特徴とする。
また、本発明における請求項４記載のラックキャビネットは、前記ラックキャビネット内部に防音層を設けたことを特徴とする。
また、本発明における請求項５記載のラックキャビネットは、前記防音層が、前記ラックキャビネット内部の、両側面、天面、底面、背面および前面に吸音機能を有する部材を貼り付けられて形成されることを特徴とする。
また、本発明における請求項６記載のラックキャビネットの冷却方法は、サーバシステムを搭載したラックキャビネットの冷却方法であって、前記ラックキャビネット内部に分離壁を設け、前記ラックキャビネット内周面と前記サーバシステム外周面との間に形成される、前記ラックキャビネット内部の空間を前面と背面に分離し、前記ラックキャビネット最上段に冷却装置を設け、前記分離壁により分離された空間の一方側から吸気し、前記分離壁により分離された空間の他方側に冷却して排気し、ラックキャビネット内部を冷却することを特徴とする。
【発明の効果】
【０００７】
本発明は、以上の如く構成されているので、サーバモジュールの発熱部を効率よく冷却することができる。
【発明を実施するための最良の形態】
【０００８】
以下、本発明の実施の形態を図面に基づき説明する。
【０００９】
冷却機構付きラックキャビネットは、図１に示すように、ラック本体１０と、ドア１１と、サーバシステムとしてのサーバ装置１２と、冷却装置１と、分離壁としての分離ウォール２と、防音層としての騒音吸収材３とを備えている。
【００１０】
ラック本体１０は、その前面および背面にドア１１を取付けることにより、ラックキャビネットを構成し、このラックキャビネットは全体として四角柱状の筐体を構成する。  
【００１１】
サーバ装置１２は、４本のマウントアングル４と複数のサーバモジュール５とを備えていて、ラック本体１０内部に搭載されている。ラック本体１０の内部の両側面には、互いに前後に位置する一対のマウントアングル４がそれぞれ設けられている。各マウントアングル４には、サーバモジュール５を取り付けるための取付部が所定間隔で複数設けられている。サーバモジュール５は、４本のマウントアングル４の取付部を介して各マウントアングル４に取り付けられる。
【００１２】
４本のマウントアングル４及び各マウントアングル４に取り付けられたサーバモジュール５の配置される、マウントアングル４の延設方向に沿った空間により、モジュール搭載部が構成されている。４本のマウントアングル４の各取付部にサーバモジュール５が取り付けられることにより、モジュール搭載部には複数のサーバモジュール５を積層して搭載することができる。モジュール搭載部に搭載されるサーバモジュール５は、前端側から吸引して後端側に排気するための送風ファンを内蔵している。
【００１３】
サーバ装置１２は、ラック本体１０の内部に搭載されることから、ラック本体１０の内部において、ラックキャビネットの内周面とサーバ装置１２の外周面との間には、空間が形成される。
【００１４】
冷却装置１は、ラック本体１０の最上段に設けられる。具体的には、サーバモジュール５と同様に、4本のマウントアングル４の取付部を介して各マウントアングル４の最上段に取り付けられる。
【００１５】
冷却装置１は、図２に示すようにラック本体１０背面側の暖かい空気を吸気し、その空気を冷却装置１内部に設けられた熱交換器１００に通過させることにより冷却させ、この冷却された空気を冷却装置１の前面に排気する。また冷却装置１の下段に設けられた複数のサーバモジュール５がこの冷却された空気を前端側から吸引して後端側に排気する。
【００１６】
冷却装置１は、図４に示すように、熱交換器１００の前後を一対の送風ファン１０１、１０２で挟んで構成されている。熱交換器１００は、図示しない冷媒管により供給される冷媒と、熱交換器１００の後方に位置する送風ファン１０１で送り込まれる空気との間での熱交換を行うためのものである。
【００１７】
分離ウォール２は、ラック本体１０の内周面とラック本体１０に搭載されたサーバ装置１２の外周面との空間をラック本体１０内部の前面と背面の間の適宜な位置で塞ぐものであって、ラック本体１０内部の空間を前面と背面に分離することを目的とする。
【００１８】
分離ウォール２は、図１及び図３に示すように、ラック本体１０内部の両側面、天面、底面にそれぞれ設けられていて、いずれも、縦長の角柱材によって構成されている。側面の分離ウォール２ｓは、ラック本体１０内部の前面と背面の間であって、前面よりの位置で側面の分離ウォール２ｓの一端面がラック本体１０の内周面に接し、この一端面に対向する一端面がサーバ装置１２の側部外周面に当接するように設けられている。ラック本体１０内部の天面の分離ウォール２ｔ及び底面の分離ウォール２ｂは、ラック本体１０内部の前面と背面の間であって、前面よりの位置で各分離ウォール２の一端面がラック本体１０の内周面に接し、この一端面に対向する一端面が天面は冷却装置１上部外周面、底面はサーバ装置１２の底部外周面に当接するように設けられている。
【００１９】
分離ウォール２の固定方法としては、例えばラック本体１０の内周面と分離ウォール２の一端面をネジ／ボルト留め、または接着（接着剤、両面テープ等）する方法を採用することができる。一方、サーバ装置１２の外周面と分離ウォール２の他端面は、両者が当接するように設けられれば、サーバ装置の保守性を維持するために固定しなくても構わない。
【００２０】
ラック本体１０における、両側面、天面、底面を構成する各板体の内面には、防音層が形成されている。また、扉体１１の内面にも防音層が形成されている。防音層は、遮音及び吸音の少なくとも一方の機能を有する層、遮音の層、吸音の層、遮音の層と吸音の層である。防音層は、遮音性及び吸音性の少なくとも一方の機能を有する板状体を貼り付け、又は、両側板、天板、底板、背板側と、及び扉体１１の内面に処理を施して形成されている。本実施の形態においては、騒音吸収材３をキャビネットの両側面、天面、底面、及び背面を構成する各板体の内面に貼り付けて構成している。騒音吸収材としては、例えば、グラスウール、ガラス繊維、アルミ繊維、多孔性コンクリート部材等が考えられる。
【００２１】
次に、本発明の実施の形態における冷却機構の動作を説明する。
【００２２】
図２及び図４に示すように、冷却装置１は背面側の暖かい空気を冷却装置１内にファン１０１で吸い込む。冷却装置１では、背面から吸気した空気を内部の熱交換器１００で冷却し、冷却した空気をファン１０２で冷却装置１の前面側に排気する。ＡＦ１はエアフローを示す。ここで熱交換器１００としては、例えば、家庭用または車などのエアコンに使用される室内機における蒸発器等が使用される。この場合、冷媒が蒸発器で蒸発する際にまわりから気化熱を奪うことにより、この蒸発器を通過する空気を冷却する。
【００２３】
冷却装置１により冷却された冷気はラック本体１０の前面を上から下へ流れる。
ラック本体１０に搭載されたサーバ装置１２を構成する複数のサーバモジュール５は、前面から冷気を吸い込み複数のサーバモジュール５内部を効率よく冷却する。冷気は複数のサーバモジュール５内部で熱源となるデバイスから熱交換され、暖められた空気が複数のサーバモジュール５の背面に排気される。
【００２４】
複数のサーバモジュール５は、前記したように送風ファンを設けていて冷気を吸引して暖気を排出する。複数のサーバモジュール５から排出された暖気は、ラック本体１０内部の背面を下から上へ流れる。冷気と暖気はラック本体１０内で、分離ウォール２により前面側と背面側とで内部空間が分離されているため、背面側から前面側への空気の流れは冷却装置１によって、また、前面側から背面側への空気の流れは、複数のサーバモジュール５によって循環する。ここで、分離ウォール２はラック本体１０の内周面とラック本体１０に搭載されたサーバ装置１２の外周面との空間をラック本体１０内部の前面と背面の間の適宜な位置で塞ぐものであり、前記したラック本体１０の内部前面の冷気がサーバ装置１２の両側面、底面、天面から背面側に流れこむことを防止する。この結果冷却効果の向上が図れる。
【００２５】
また、ラック本体１０内部の壁面（両側面、天面、底面、前面、背面）に騒音吸収材３を貼り付けることで、ラック本体１０に搭載されているサーバ装置１２に搭載されている多数のサーバモジュール５が発する騒音を一括吸収し、ラック本体１０の騒音を外部に出さない。
【００２６】
本発明は、ラックキャビネットに冷却装置１と、分離ウォール２と、騒音吸収材３を設けたこと等を特徴とするため、本発明を既存のラックキャビネットに適用する場合、既存のラックキャビネット構造に大きな変更を必要とせず、ラックマウントサーバシステムにおいては、全く構造変更を必要としない。したがって、ラックマウントサーバシステムの保守に関しても既存の保守手順で足りる。
【００２７】
以上から、本発明は、既存の構造をそのまま流用可能であり、保守性も損なわないまま、ラックキャビネット内に搭載されたラックマウントサーバシステムの信頼性確保に十分な冷却を可能にするという効果を有する。また同時に、ラックキャビネット内部に搭載されたラックマウントサーバシステムが発する騒音をラックキャビネットの外部へ漏らさず静音化を実現するという効果も有する。
【００２８】
本発明の実施の形態においては、ラック本体１０の最上段に冷却装置１を１台設けているが、冷却装置１の設置数は１台に限定されるものではない。ラック本体１０に搭載されたサーバ装置１２の構成に応じて、ラック本体１０内部の冷却能力を更に増やしたい場合は、図５に示すように冷却装置１を更に１台追加することができる。このことにより、ラック本体１０内部の冷却能力を簡単に補強することができるという効果が得られる。
【００２９】
また、本発明の実施の形態における冷却風のエアフローと、逆向きのエアフローにして構成することも可能である。つまり、冷却装置１の前面から吸気し冷却装置１の背面から冷却風を排気するように構成することも出来る。この場合ラック本体１０内部の複数のサーバモジュール５は、ラック本体１０背面側から吸気して、前面側から排気するように配設する必要がある。また、分離ウォール２は、適宜な位置に設けることが必要である。このことにより、ラック本体１０の設置の向きに関係なくラックマウントサーバシステムを十分に冷却することができる。
【００３０】
なお、本実施形態において示した各構成部材の諸形状や寸法等は一例であって、設計要求等に基づき種々変更可能であること、また、そのような変更した構造も本発明の範囲にあることは当業者に理解されるところである。
【図面の簡単な説明】
【００３１】
【図１】本発明の実施の形態に係るラックキャビネットの斜視図である。
【図２】図１に示すラックキャビネットにおける空気の流れを示す概略側面図である。
【図３】図１に示すラックキャビネットの構成を示す側面図である。
【図４】図２に示す冷却装置の構成を示す概略側面図である。
【図５】本発明の他の実施の形態に係るラックキャビネットにおける空気の流れを示す概略側面図である。
【符号の説明】
【００３２】
ＡＦ１  エアフロー
１      冷却装置
２      分離ウォール（分離壁）
２ｔ    天面の分離ウォール
２ｓ    側面の分離ウォール
２ｂ    底面の分離ウォール
３      騒音吸収材  （防音層）
１０    ラック本体
１１    ドア
１２    サーバ装置   （サーバシステム）
１００  熱交換器
【図１】
2008171078.tif 000003
【図２】
2008171078.tif 000004
【図３】
2008171078.tif 000005
【図４】
2008171078.tif 000006
【図５】
2008171078.tif 000007